(57)【要約】【課題】天板の浮き上がりを確実に防止できるようにした切り花収納用包装箱を提供する。【解決手段】天板１４の前端辺に連設された細幅のフラップ１５の中央部に下向きに突出するように形成された差込片１６を外側前板部９に形成された孔部９ａに差し込むことにより天板１４の閉塞状態を保持するようにした段ボール板製の切り花収納用包装箱であって、前記孔部９ａの横長さ方向中央部には切り欠き部９ｂが下向きに形成され、この孔部９ａの横長さ方向中央部における上側には切り欠き部９ｃが形成されており、前記孔部９ａに差し込まれる差込片１６側には前記細幅のフラップ１５と差込片１６との境界部に上端が前記孔部９ａ上側の切り欠き部９ｃに係止するロック片１９が切り込みにより形成されているとともに、このロック片１９形成部の上側には指孔２０が形成されている。【選択図】    図５
2006298460.tif 000002
【特許請求の範囲】
【請求項１】
底板と、この底板の左右の両側辺に連設された両側板と、前記底板の前端辺に連設された外側前板部と、この外側前板部の上端辺に連設された内側前板部と、前記底板の後端辺に連設された後板と、この後板の上端辺に連設された天板と、この天板の前端辺に連設された細幅のフラップと、このフラップの中央部に下向きに突出するように形成された差込片とを備え、前記外側前板部に形成された孔部に差込片を差し込むことにより天板の閉塞状態を保持するようにした段ボール板製の切り花収納用包装箱であって、前記孔部の横長さ方向中央部には切り欠き部が下向きに形成され、またこの孔部の横長さ方向中央部における上側には切り欠き部が形成されており、前記孔部に差し込まれる差込片側には前記細幅のフラップと差込片との境界部に上端が前記孔部上側の切り欠き部に係止するロック片が切り込みにより形成されているとともに、このロック片形成部の上側には指孔が形成されていることを特徴とする切り花収納用包装箱。
【発明の詳細な説明】
【技術分野】
【０００１】
本発明は、段ボール板製の切り花収納用包装箱に関するものである。
【背景技術】
【０００２】
従来のこの種包装箱としては、例えば特許文献１に開示されているような、矩形状底板の相対辺にそれぞれ一対の側板と一対の妻板を連接し、一対の側板の左右に妻面突合せ内フラップをそれぞれ延設して、そのうち一方の突合せ内フラップの端部に蟻溝状の切欠を設け、他方の端部には前記の切欠に対応する突起を設け、また一対の妻板の上辺にロックフラップをそれぞれ連接してこのロックフラップの左右両端に係止突起を設け、前記係止突起に対応する係止孔を側板端部に設け、各側板及び妻板を底板上に起立せしめると共に妻面突合せ内フラップの蟻溝状切欠と突起とを嵌合し、前記係止用折り返しフラップを妻板の内側に折曲げて係止用突起を係止孔に嵌合せしめると共に、前記側板の一方には天板を延接し該天板の端縁に差込舌片を連接し、他方の側板端縁には前記差込舌片が挿入される差込孔を備えた端部フラップを付設した切り花用輸送箱が知られている。
【特許文献１】実開平３−１２６８１３号公報
【発明の開示】
【発明が解決しようとする課題】
【０００３】
上記特許文献１に記載の従来の切り花用輸送箱の構成では、最終的に閉じられる天板の差込舌片を端部フラップの差込孔に挿入することにより閉塞状態が保持されるようになっているが、差込舌片は差込孔に挿入されているだけであるので、完全なロック状態が保持されておらず、天板が浮き上がるという問題があった。
【０００４】
本発明の目的は、このような課題を解決するものであり、天板の浮き上がりを確実に防止できるようにした切り花収納用包装箱を提供することにある。
【課題を解決するための手段】
【０００５】
本発明の請求項１に記載の切り花収納用包装箱は、底板と、この底板の左右の両側辺に連設された両側板と、前記底板の前端辺に連設された外側前板部と、この外側前板部の上端辺に連設された内側前板部と、前記底板の後端辺に連設された後板と、この後板の上端辺に連設された天板と、この天板の前端辺に連設された細幅のフラップと、このフラップの中央部に下向きに突出するように形成された差込片とを備え、前記外側前板部に形成された孔部に差込片を差し込むことにより天板の閉塞状態を保持するようにした段ボール板製の切り花収納用包装箱であって、前記孔部の横長さ方向中央部には切り欠き部が下向きに形成され、またこの孔部の横長さ方向中央部における上側には切り欠き部が形成されており、前記孔部に差し込まれる差込片側には前記細幅のフラップと差込片との境界部に上端が前記孔部上側の切り欠き部に係止するロック片が切り込みにより形成されているとともに、このロック片形成部の上側には指孔が形成されていることを特徴とする。
【発明の効果】
【０００６】
以上のように、本発明の切り花収納用包装箱は、天板が閉じられるとき、前記差込片が孔部に差し込まれるとともに前記孔部の下側に形成された切り欠き部の位置でロック片を押し込むことによってロック片の上端が孔部上側の切り欠き部に係止する。これにより差込片はロックされ、天板の浮き上がりが防止され、天板の閉塞状態が保持される。天板を開けるために差込片のロックを解除するときは前記指孔より孔部上側の切り欠き部の上側の外側前板部を押すことによりロック片と切り欠き部との係止が解除され、指孔に指を掛けて天板を持ち上げることにより差込片を孔部から引き抜くことができて天板が開かれるものである。
【発明を実施するための最良の形態】
【０００７】
以下、本発明の一実施の形態を、図１〜図６を用いて具体的に説明する。
図において、１は段ボール板製の切り花収納用包装箱であって、底板２と、この底板２の左右の両側辺に連設された両側板３，４と、この各側板３，４の前端辺に連設された前端フラップ５，６と、各側板３，４の上端辺に連設された上端フラップ７，８と、前記底板２の前端辺に連設された外側前板部９と、この外側前板部９の上端辺に連設された内側前板部１０と、前記底板２の後端辺に連設された後板１１と、この後板１１の左右の両側辺に連設されたフラップ１２，１３と、後板１１の上端辺に連設された天板１４と、この天板１４の前端辺に連設された細幅のフラップ１５と、このフラップ１５の中央部に下向きに突出するように形成された差込片１６とを備えている。
【０００８】
さらに詳しくは、前記後板１１の左右の両側辺に連設されたフラップ１２，１３は前記側板３，４の内面に重なり、このフラップ１２，１３の上端に突設した爪片１２ａ，１３ａが前記側板３，４の上端辺と上端フラップ７，８との連設部に沿って形成された孔部１７，１８に係合するようになっている。また、左側に位置する一方の側板３の上端近傍にはフラップ１２との重なり部から外れた位置で通気孔３ａが形成されている。また、右側に位置する他方の側板４とフラップ１３との重なり部において、側板４の上端近傍には通気孔４ａが形成され、フラップ１３の上端にはこの通気孔４ａの位置で切り欠き部１３ｂが形成されている。さらに、前記上端フラップ７，８にもこの上端フラップ７，８が側板３，４に重なるように折り曲げられたときに通気孔３ａ，４ａに連通するように通気孔７ａ，８ａが形成されている。また、前記側板３，４の前端辺に連設された前端フラップ５，６は前記外側前板部９と内側前板部１０との間で挟まれる。内側前板部１０は外側前板部９との間で前端フラップ５，６を挟んだ状態で下端に形成されている突出片１０ａが外側前板部９との連設部に沿って底板２に形成された孔部２ａに差し込まれ、２重壁構造の前板を形成するようになっている。さらに、前記外側前板部９の上端近傍には天板１４が閉じられた状態において前記差込片１６を外側前板部９と内側前板部１０との間に差し込むための孔部９ａが形成されており、この孔部９ａの横長さ方向中央部にはほぼ半円形の切り欠き部９ｂが下向きに形成され、またこの孔部９ａの横長さ方向中央部における上側には深さの浅い切り欠き部９ｃが形成されている。前記孔部９ａに差し込まれる差込片１６側には前記細幅のフラップ１５と差込片１６との境界部に上端が前記切り欠き部９ｃに係止するロック片１９が切り込みにより形成されているとともに、このロック片１９形成部の上側には指孔２０が形成されている。
【０００９】
上記構成において、天板１４が開かれた状態で切り花収納用包装箱１の内部に切り花（図示せず）が収められて天板１４が閉じられる。そのとき、前記差込片１６が孔部９ａに差し込まれるとともに前記切り欠き部９ｂの位置でロック片１９を押し込むことによってロック片１９の上端が切り欠き部９ｃに係止する。これにより差込片１６はロックされ、天板１４の浮き上がりが防止され、天板１４の閉塞状態が保持される。天板１４を開けるために差込片１６のロックを解除するときは前記指孔２０より切り欠き部９ｃ上側の外側前板部９を押すことによりロック片１９と切り欠き部９ｃとの係止が解除され、指孔２０に指を掛けて天板１４を持ち上げることにより差込片１６を孔部９ａから引き抜くことができて天板１４が開かれる。
【図面の簡単な説明】
【００１０】
【図１】本発明の一実施の形態における切り花収納用包装箱の展開図である。
【図２】同切り花収納用包装箱の組み立て途中の状態を示す斜視図である。
【図３】同切り花収納用包装箱の組み立て完成直前の状態を示す斜視図である。
【図４】同切り花収納用包装箱の組み立て完成状態を示す斜視図である。
【図５】同切り花収納用包装箱の組み立て完成状態におけるロック部を示す要部拡大斜視図である。
【図６】同切り花収納用包装箱のロック部を解除する状態を示す要部拡大斜視図である。
【符号の説明】
【００１１】
１              切り花収納用包装箱
２              底板
２ａ            孔部
３，４          側板
３ａ，４ａ      通気孔
５，６          前端フラップ
７，８          上端フラップ
７ａ，８ａ      通気孔
９              外側前板部
９ａ            孔部
９ｂ，９ｃ      切り欠き部
１０              内側前板部
１０ａ            突出片
１１              後板
１２，１３        フラップ
１２ａ，１３ａ    爪片
１３ｂ            切り欠き部
１４              天板
１５              フラップ
１６              差込片
１７，１８        孔部
１９              ロック片
２０              指孔
【図１】
2006298460.tif 000003
【図２】
2006298460.tif 000004
【図３】
2006298460.tif 000005
【図４】
2006298460.tif 000006
【図５】
2006298460.tif 000007
【図６】
2006298460.tif 000008